(57)【要約】 【課題】積雪地帯において軒樋を雪から保護できて好適に使用できる軒樋の集水器の雪送り装置を提供することを目的とする。【解決手段】軒樋１２の集水器１３に取付けられる雪送り装置１１であって、前記雪送り装置１１は前記軒樋１２の近傍に設けられ、軒樋１２と平行に設けられる雪送り手段１５と、この雪送り手段１５を回転自在に支持する支持手段１６とで構成される。前記雪送り手段１５は円筒形状の円筒部１７がその両端部１７ａを1対の保持具１８に嵌入して形成される。この保持具１８は側壁１８ａが直径の底面１８ｂに垂直に立設して形成され、底面１８ｂにはその中心点に軸受け部１９としての孔１９ａが設けられる。前記支持手段１６は軸棒２０とその軸棒２０の両端部２０ａを固着する1対の固着部２１で形成される。固着部２１には集水器１３の飾り部１４に取付けるための挟持部２２が形成される。【選択図】  図１
2006266046.tif 000002
【特許請求の範囲】
【請求項１】
軒樋の集水器に取付けられる雪送り装置であって、
前記雪送り装置は前記軒樋の集水器の飾り部近傍に設けられ、軒樋と平行に設けられる雪送り手段と、この雪送り手段を回転自在に支持する支持手段とで構成されることを特徴とする軒樋の集水器の雪送り装置。
【請求項２】
請求項1記載の軒樋の集水器の雪送り装置であって、
前記雪送り手段は円筒形状の円筒部からなることを特徴とする軒樋の集水器の雪送り装置。
【請求項３】
請求項２記載の軒樋の集水器の雪送り装置であって、
前記雪送り手段の円筒部の表面に突起が設けられることを特徴とする軒樋の集水器の雪送り装置。
【請求項４】
請求項１乃至請求項３のいずれか1項に記載の軒樋の集水器の雪送り装置であって、前記雪送り手段は前記円筒部の中心に1本の回転軸を備え、前記支持手段が前記円筒部の両端部近傍で前記回転軸の両端部を回転自在に支えることを特徴とする軒樋の集水器の雪送り装置。
【発明の詳細な説明】
【技術分野】
【０００１】
本発明は、建物の軒樋の集水器に関し、詳しくは集水器の飾り部を雪害から保護し、積雪地帯での使用に適する軒樋の集水器に関する。
【背景技術】
【０００２】
従来、建物の軒先には屋根からの雨を建物外に排出するために軒樋（集水器及びその飾り部を含む）が設けられているが、積雪地帯においては屋根に積もった雪がこの軒樋に滑り落ちて来て軒樋内に堆積し、その重さによって軒樋が壊れるということが多発していた。
【０００３】
そこで、積雪地帯において軒樋を雪から保護し好適に使用できる建物の軒樋（軒樋の集水器及びその飾り部を除く）に関して特許文献１に記載の内容が知られている。
【０００４】
その構造は、図８（ａ）、（ｂ）に示すように、軒樋１内において雪Ｓを送り出す位置に配設される雪送り手段２は、円筒かご状の送り本体３と、軒樋１内に配設されて送り本体３を軸６で回転可能に支持する支持部材５とで構成される。雪送り手段２は、円筒かご状の送り本体３と、この送り本体３の両端の中央に設けられた軸受４とからなり、雪送り手段２、２…は縦列状に複数配設される。
【０００５】
そして円筒かご状の送り本体３は、所定の間隔を設けて対向配置された一対の円盤４１、４１の外周部に所定の間隔で設けられる複数のロッド４２と補強リング３３とからなり、この円盤４１の中央部に前記軸受４が設けられている。
【０００６】
円筒かご状の送り本体３は、この軸受４を介して支持部材５に装着された前記軸６によって回転自在に支持される。
【０００７】
このため、円筒かご状送り本体３は、その頂部が屋根７から滑り落ちてくる雪Ｓの力によって図の矢印の方向に回転することにより、雪Ｓは軒樋１に高く堆積せず遂次スムーズに屋根７から落下させることができるので、軒樋１が壊れることを防止できる。
【特許文献１】特開平１０−２３８０３１号公報
【発明の開示】
【発明が解決しようとする課題】
【０００８】
ところが、９（ａ）に示すように、降雪時には雪Ｓが複数のロッド４２間の隙間Ｔから徐々に細かく入り込むので、軒樋１内部に雪Ｓが固まって堆積するだけで円筒かご状の送り本体３が回転せず、その結果、前記円筒かご状の送り本体３上方に堆積した雪Ｓによって軒樋１が壊れる可能性があった。
【０００９】
また、９（ｂ）に示すように、降雪していないときには、複数のロッド４２の隙間Ｔから例えば落ち葉４４、ゴミ、砂などが浸入して堆積したり、送り本体３の内部が生き物の巣になったりして軒樋１の排水を妨げる可能性もあった。
【００１０】
さらに、円筒かご状の送り本体３の構造は、支持部材５に装着された前記軸６が片持支持の構造なので、前記軸６の強度が十分確保できず両端における回転軸芯がずれ易いので安定したスムーズな回転が得られないという問題があった。
【００１１】
特に、円筒かご状の送り本体３の長さＬが長い場合は、回転ぶれのないように製作するのは非常に困難でコストも上がるという問題があった。
【００１２】
そこで、本発明はかかる従来技術の問題に鑑みなされたものであって、積雪地帯において、屋根に積もった雪が滑り落ちてきても軒樋の集水器内に堆積せず、雪の自重によって集水器が壊れることなく、軒樋を雪から保護できて好適に使用できる軒樋の集水器の雪送り装置を提供することを目的とする。
【課題を解決するための手段】
【００１３】
請求項１の発明は、軒樋の集水器に取付けられる雪送り装置であって、前記雪送り装置は前記軒樋の集水器の飾り部近傍に設けられ、軒樋と平行に設けられる雪送り手段と、この雪送り手段を回転自在に支持する支持手段とで構成されることを特徴としている。
【００１４】
この軒樋の集水器の雪送り装置であれば、軒樋と平行に設けられる雪送り手段が支持手段によって回転自在に支持される。
【００１５】
請求項２の発明は、請求項1記載の軒樋の集水器の雪送り装置であって、前記雪送り手段は円筒形状の円筒部からなることを特徴としている。
【００１６】
この軒樋の集水器の雪送り装置であれば、前記雪送り手段が円筒形状の円筒部なので、雪、落ち葉、ゴミ、砂などが円筒部内に侵入することがなくなる。
【００１７】
請求項３の発明は、請求項２記載の軒樋の集水器の雪送り装置であって、前記雪送り手段の円筒部の表面に突起が設けられることを特徴としている。
【００１８】
この軒樋の集水器の雪送り装置であれば、前記雪送り手段の円筒部の表面の突起が堆積した雪に食い込むことができる。
【００１９】
請求項４の発明は、請求項１乃至請求項３のいずれか1項に記載の軒樋の集水器の雪送り装置であって、前記雪送り手段は前記円筒部の中心に1本の回転軸を備え、前記支持手段が前記円筒部の両端部近傍で前記回転軸の両端部を回転自在に支えることを特徴としている。
【００２０】
この軒樋の集水器の雪送り装置であれば、前記雪送り手段が前記円筒部の中心に設けられた1本の回転軸を中心にして回転できる。
【発明の効果】
【００２１】
請求項１記載の発明によれば、軒樋と平行に設けられる雪送り手段が支持手段に支持されて回転自在であるので、屋根に積もった雪が滑り落ちてきても軒樋の集水器内に堆積せず雪を遂次スムーズに屋根から落下させることができるので、雪の自重により軒樋の集水器が壊れることなく軒樋を雪から保護できる
請求項２記載の発明によれば、の軒樋の集水器の雪送り装置であれば、前記雪送り手段は円筒形状の円筒部なので雪が円筒部内に侵入することがない。
【００２２】
このため、雪の移動とともに円筒部が回転して雪を遂次スムーズに屋根から落下させることができる。
【００２３】
また、円筒部の内部に、落ち葉、ゴミ、砂などが侵入することがなくなるので、軒樋の集水器詰まりが避けることができるので雪解け水や雨水の排水を妨げることがない。
【００２４】
請求項３記載の発明によれば、この軒樋の集水器の雪送り装置であれば、前記雪送り手段の円筒部の表面の突起が堆積した雪に食い込むことができるので、雪の移動とともに円筒部が効果的に回転して、雪を遂次スムーズに屋根から落下させることができる。
【００２５】
請求項４記載の発明によれば、この軒樋の集水器の雪送り装置であれば、前記雪送り手段が前記円筒部の中心に設けられた1本の回転軸を中心に回転できる。
【００２６】
このため、1本の回転軸が両端支持されるので強度的に強く安定した構造となるので安定した回転が得られ、雪を遂次スムーズに屋根から落下させることができる。
【発明を実施するための最良の形態】
【００２７】
以下に、本発明の第1の実施形態を図１〜図５に基づいて説明する。
【００２８】
＜軒樋の集水器の雪送り装置の構成＞
図１に示すように、本発明の軒樋１２の雪送り装置１１は、軒樋１２の集水器１３の飾り部１４近傍に取付けられる雪送り装置１１である。前記雪送り装置１１は軒樋１２と平行に設けられる雪送り手段１５とこの雪送り手段１５を回転自在に支持する支持手段１６とで構成される。そして、雪解け水や雨水は前記軒樋１２に流れた後に集水器１３に集められ縦樋によって下方に導かれる。
【００２９】
前記雪送り手段１５は円筒形状の円筒部１７からなりその両端部１７ａが1対の保持具１８に嵌入される。保持具１８は側壁１８ａが円形の底面１８ｂの周縁に垂直に立設する構造で、底面１８ｂにはその中心点に軸受け部１９としての孔１９ａが設けられる。
【００３０】
そして、前記支持手段１６は軸棒２０とその軸棒２０の両端部２０ａを固着する1対の固着部２１で形成されるので、前記雪送り手段１５は軸受け部１９によって矢印のように軸棒２０の周りに回転自在である。
【００３１】
また、固着部２１には固着部２１を集水器１３の飾り部１４に着脱自在に取付けるための挟持部２２が形成される。
【００３２】
図２、図３に示すように、飾り部１４は文字どおり外側から見て集水器１３をより豪華に装飾するためにデザインされたものであり、その外側面（側面を含む）には図示しない装飾模様等が形成される。
【００３３】
飾り部１４の詳細形状は、外側面および両側面によって３方が囲まれて上方と下方が開放されている３次元形状で、外側面および両側面が上方から下方にかけて凸曲面２３、水平面２４、凹曲面２５、垂直面２６、Ｓ字曲面２７、垂直面２８によって順次絞るように形成される。そして、飾り部１４の垂直面（据付部）２８が集水器１３に固着される。
【００３４】
いま、例えば、飾り部１４の主寸法を示すと；
高さＳ１＝１１３ｍｍ、長さＲ１＝１１４ｍｍ。凸曲面２３の幅Ｔ１＝２７０ｍｍ、高さＳ２＝４７ｍｍ。水平面２４の幅Ｔ２＝２５６ｍｍ。上端部２９の長さＲ２＝９０ｍｍ。である。
【００３５】
そして、前記雪送り手段１５の円筒部１７が固着部２１の挟持部２２を介して、水平面２４に固着されるが、このとき、保持具１８の側壁１８ａが上端部２９のレベルに一致するように飾り部１４の凸曲面２３の高さＳ２が決定される。そして、凹曲面２５の幅Ｔ３及び垂直面２６の幅Ｔ４の領域内に保持具１８を含む円筒部１７（全幅がＬ、側壁１８ａの直径がＤ）が収まるようになっている。
【００３６】
なお、飾り部１４の両脇の稜線３０は垂直面（据付部）２８の基部３２から前方に長さＲ３＝２４ｍｍ傾斜して上端部２９の角部３１と交わる。この稜線は側面視では直線であるが、その切り口は図１の斜視図で示されるように、上方から下方にかけて凸曲面２３、水平面２４、凹曲面２５、垂直面２６、Ｓ字曲面２７が連続する曲線形状である。
【００３７】
＜雪送り装置１１の詳細形状＞
図４（ａ）、（ｂ）に示すように、保持具１８は側壁１８ａの長さＬ３＝１５ｍｍで、底面１８ｂの外直径Ｄ＝８０ｍｍ、内直径Ｄ１＝７６ｍｍである。
【００３８】
底面１８ｂの中心点には軸受け部１９としての孔１９ａが直径Ｄ２＝９ｍｍで設けられる。
【００３９】
図４（ｃ）、（ｄ）に示すように、固着部２１には軸棒２０の両端部２０ａを固着するための孔２１ａが直径Ｄ３＝９ｍｍで形成される。さらに、固着部２１を飾り部１４の水平面２４に着脱自在に取付けるための挟持部２２が、固着部２１の下部ベース２１ｂからＵ字状に折り返し形成される押さえベース２１ｃとの間に挟持部（隙）２２を備えて形成される。
【００４０】
この挟持部（隙）２２に前記水平面２４を差し込むことにより、雪送り装置１１全体が飾り部１４に固着される。
【００４１】
図５（ａ）、（ｂ）に示すように、軸棒２０は長さＬ１＝２５６ｍｍ，直径Ｄ２＝９ｍｍで、円筒部１７の長さＬ２＝１９６ｍｍ、直径Ｄ２＝７５ｍｍである。
【００４２】
図５（ｃ）に示すように、軸棒２０を円筒部１７に挿入し且つ保持具１８に挿入したのちに、軸棒２０は固着部２１に固着されるが、円筒部１７と保持具１８は軸受け部１９（孔１９ａ）によって、軸棒２０の周囲を自由に回転することができる。
【００４３】
なお、雪送り装置１１の各部品の材質に関しては、円筒部１７に関して直径Ｄ２＝７５ｍｍと定めたのは一般市場品として使用される縦樋が外径７５ｍｍの円筒なので、適宜この商品が使用できるように考慮されており、その材質は例えば硬質塩化ビニール樹脂等の合成樹脂等であり、その他の部材は鋼材（ステンレス材や亜鉛メッキをした金属が好ましい）である。
【００４４】
上記各部品の板厚や組み付け代は適宜考慮して決定される。
【００４５】
＜軒樋の集水器の雪送り装置の作用＞
図６に示すように、雪送り手段１５は軸受け部１９によって軸棒２０の周りに回転自在である。
【００４６】
このため、雪Ｓは雪送り手段１５が屋根７から滑り落ちてくる雪Ｓの力によって図の矢印の方向に回転することにより、雪Ｓは遂次スムーズに屋根７から落下することができる。そのため、集水器１３が壊れることを防止できる。
【００４７】
さらに、雪送り手段１５の円筒部１７に隙間がないので、落ち葉。ゴミ、砂などが浸入して堆積したり円筒部１７の内部が生き物の巣になることがないので集水器１３の排水を妨げることがない。
【００４８】
また、軸棒２０は円筒部１７を貫通する1本棒であり、軸棒２０は軸受け部１９によって両端支持されるので軸棒２０自身の強度が十分確保できて両端における回転軸芯が狂わないので安定したスムーズな回転が得られる。そのため、雪送り手段１５の製作調整の手間が省けるので製作コストを下げることができる。
【００４９】
さらに、円筒部１７が一般市場で汎用される外径７５ｍｍの縦樋が使用できるので、さらにコストを下げることができる。
【００５０】
＜本発明の第２の実施形態＞
図７に示すように、前記雪送り手段１５の円筒部１７の表面に突起１７ｂ（直径Ｄ４＝３ｍｍ，高さＭ５＝３ｍｍ）がピッチＬ３＝１０ｍｍで円周方向に４箇所設けられる。
【００５１】
この突起１７ｂによって、屋根７から滑り落ちてくる雪Ｓに食い込むことにより雪Ｓの力を確実に雪送り手段１５に伝えることができるので、円筒部１７を容易に回転させることができて雪Ｓが集水器１３に堆積せずスムーズに屋根７から落下させることができる。そして、集水器１３が壊れることを防止できる。
【００５２】
以上、本発明の実施形態を図面に基づいて説明したが、上記の実施例はいずれも本発明の一例を示したものであり、本発明はこれらに限定されるべきでないということはいうまでもない。
【００５３】
前記雪送り手段１５の円筒部１７の表面の突起１７ｂの形状や取付けピッチは適宜設定すればよい。また、円周方向の４箇所の突起１７ｂは各ピッチＬ３毎に位相を例えば４５度ずらせばさらに雪による回転力の伝達が均一化できる。
【００５４】
円筒部１７は一般汎用品の代わりに専用品を製作してもよい。
【００５５】
軸棒２０を受ける軸受け部１９にベアリングを挿入すれば、さらに回転が円滑になるとともに、ベアリングに封入されているグリースによって軸受け部１９の性能を長期に保持することができる。
【図面の簡単な説明】
【００５６】
【図１】本発明の第1の実施形態における、軒樋の集水器の雪送り装置の斜視図である。
【図２】本発明の第1の実施形態における、図１のＡ−Ａ矢視図である。
【図３】本発明の第1の実施形態における、図２のＢ−Ｂ矢視図である。
【図４】本発明の第1の実施形態における、（ａ）は雪送り手段１５としての円筒形状の円筒部１７を保持する保持具１８の側面図、（ｂ）は図４(ａ)のＣ−Ｃ矢視図、（ｃ）は前記支持手段１６としての固着部２１の側面図、（ｄ）は図４(ｃ)のＤ−Ｄ矢視図である。
【図５】本発明の第1の実施形態における、（ａ）は軸棒の側面図、（ｂ）は円筒部１７の側面図、（ｃ）は雪送り装置１１の組付け平面図ある。
【図６】本発明の実施形態における、（ａ）は軒樋１２の集水器１３の飾り部１４に取付けられる雪送り装置１１における雪の落下状態を示す斜視図、（ｂ）は図６（ａ）の側面図である。
【図７】本発明の第２の実施形態における、円筒部１７の側面図である。
【図８】従来例における、（ａ）は軒樋に取付けられた円筒かご状の送り本体と雪の落下の状態を示す側面断面図、（ｂ）は円筒かご状の送り本体の構造を示す平面横断図である。
【図９】従来例における、（ａ）は軒樋に取付けられた円筒かご状の送り本体に雪が落下する状態を示す側面断面図、（ｂ）は円筒かご状の送り本体と落ち葉の落下の状態を示す斜視図である。
【符号の説明】
【００５７】
１１  雪送り装置
１２  軒樋
１３  集水器
１４  飾り部
１５  雪送り手段
１６  支持手段
１７  円筒部
１７ａ  端部
１８  保持具
１８ａ  側壁
１８ｂ  底面
１９  軸受け部
１９ａ  孔
２０  軸棒
２０ａ  部
２１  固着部
２２  挟持部
【図１】
2006266046.tif 000003
【図２】
2006266046.tif 000004
【図３】
2006266046.tif 000005
【図４】
2006266046.tif 000006
【図５】
2006266046.tif 000007
【図６】
2006266046.tif 000008
【図７】
2006266046.tif 000009
【図８】
2006266046.tif 000010
【図９】
2006266046.tif 000011